(57)【要約】【課題】優れたシールド特性を備えると共に，重量を軽くする。【解決手段】内部に高周波回路を収納するため一辺が開放された金属ケース１０と，該開放部１６に取付けられる別体の金属製のフロントプレート２０と，該フロントプレート２０に固定されたコネクター２１とからなる高周波機器１において，前記フロントプレート２０の短辺方向を断面略Ｌ字形に折り曲げて形成し，前記金属ケース１０の両側板１１・１１における開放１６側先端部の上端面に，前記フロントプレート２０の折り曲げ部２０ｄの板厚（Ｔ１）より僅かに小さい寸法（Ｔ２）で段差部１８を形成し，前記フロントプレート２０の折り曲げ部２０ｄの内面と前記段差部１８とを嵌合させて，前記フロントプレート２０と前記金属プレート１０とを固定する。【選択図】  図３
2004229008.tif 000002
【特許請求の範囲】
【請求項１】
内部に高周波回路を収納する一辺が開放された金属ケースと，該開放部に取付けられる別体の金属製のフロントプレートと，該フロントプレートに形成した挿通孔にカシメ等の手段によって固定されたコネクターとからなる高周波機器において，
前記フロントプレートの短辺方向を断面略Ｌ字形に折り曲げて形成し，
前記金属ケースの両側板における開放部側の先端部の上端面に，前記フロントプレートの折り曲げ部の板厚より僅かに小さい寸法で段差部を形成し，
前記フロントプレートの折り曲げ部の内面と，前記段差部とを嵌合させると共に，前記フロントプレートと前記金属プレートとを任意の手段によって固定するように形成したことを特徴とした高周波機器。
【請求項２】
前記フロントプレートの短辺方向を断面略コ字形に折り曲げて形成し，
前記金属ケースの両側板における開放部側の先端部の上・下端面に，前記フロントプレートの折り曲げ部の板厚より僅かに小さい寸法で段差部を形成し，
前記フロントプレートの折り曲げ部の内面と，前記段差部とを嵌合させると共に，前記フロントプレートと前記金属プレートとを任意の手段によって固定するように形成したことを特徴とした請求項１に記載の高周波機器。
【発明の詳細な説明】
【０００１】
【発明の属する技術分野】
本発明は，主にテレビ受信用機器に利用される高周波機器に関し，詳しくはその高周波機器の構造に関するものである。
【０００２】
【従来の技術】
従来の高周波機器は，内部に電子部品を収納する金属ケースと，この前壁に重ねる別体の金属製フロントプレートからなり，該フロントプレートに形成した挿入孔にコネクターを挿入してカシメ等の手段により固定し，該金属ケースの前壁には該コネクターの内端が遊嵌するバカ孔を設け，同金属ケース内には電子部品を装着したプリント基板を取付け，コネクターを固定した前記フロントプレートを該金属ケースの前壁に重ねると共にコネクターをバカ孔に嵌合し，フロントプレートと金属ケースの前壁とを任意の手段で固定したものが提案されており（例えば特許文献１参照），コネクターを別体に形成されたフロントプレートにカシメ加工してから金属ケースに取付けるようにしたことで，カシメ加工の作業性を容易にすると共に，プリント基板を金属ケース内に装着したのち半田ディップする際に，コネクタ−に対する半田やフラックスの付着することがないので，金属ケースの高さが薄くできる。
【０００３】
【特許文献１】
実公平５−４３０３号公報
【０００４】
【発明が解決しようとする課題】
ところが近年，金属ケースに収納する高周波回路が取扱う周波数が高くなり，例えば衛星放送の中間周波数帯用の分配器やブースタ等は略１ＧＨｚ〜２．６ＧＨｚ帯までを使うようになると共に，信号がデジタル変調されていることから，前記高周波回路に妨害波が飛び込んで，受信画像に妨害が発生しないよう，前記高周波機器のイミュニティーを良くする必要がある。
しかし，従来の高周波機器によると，高周波回路を収納する金属ケースにフロントプレートを取付ける方法は，前壁に形成した各爪をフロントプレートに形成したスロット孔に挿入してから，フロントプレートの外側にて各爪をひねることによってフロントプレートを前壁に固定する方法であるので，フロントプレートの前壁に対して，精度よく且つ強固に固定することが難しかった。更に，金属ケースの上面及び下面の開口部に被せるシールドカバーと，前壁の上端面及び下端面，フロントプレートの上端面及び下端面との接触面積が，フロントプレートの固定具合によって一定とならない等，該金属ケースを用いた高周波機器のイミュニティーが良くないと言った問題があった。
また，該金属ケースには前壁にフロントプレートを取付ける構成となっているので，このケースを用いた高周波機器の重量が重くなると共に，材料費がかかると言った問題もあった。
そこで本発明においては，こうした問題点を解決するためになされたものであり，
その目的は，高周波回路を収納する金属ケースを備えた高周波機器を提供することに有る。
他の目的は，イミュニティーの良い金属ケースを備えた高周波機器を提供することに有る。
他の目的は，フロントプレートの取付け位置決めを容易にした金属ケースを備えた高周波機器を提供することに有る。
他の目的は，軽量な金属ケースを備えた高周波機器を提供することに有る。
【０００５】
【課題を解決するための手段】
上記課題を解決するために，請求項１の発明は，内部に高周波回路を収納する一辺が開放された金属ケースと，該開放部に取付けられる別体の金属製のフロントプレートと，該フロントプレートに形成した挿通孔にカシメ等の手段によって固定されたコネクターとからなる高周波機器において，前記フロントプレートの短辺方向を断面略Ｌ字形に折り曲げて形成し，前記金属ケースの両側板における開放部側の先端部の上端面に，前記フロントプレートの折り曲げ部の板厚より僅かに小さい寸法で段差部を形成し，前記フロントプレートの折り曲げ部の内面と，前記段差部とを嵌合させると共に，前記フロントプレートと前記金属プレートとを任意の手段によって固定するように構成される。
【０００６】
請求項２の発明は，前記フロントプレートの短辺方向を断面略コ字形に折り曲げて形成し，前記前記金属ケースの両側板における開放部側の先端部の上・下端面に，前記フロントプレートの折り曲げ部の板厚より僅かに小さい寸法で段差部を形成し，前記フロントプレートの折り曲げ部の内面と，前記段差部とを嵌合させると共に，前記フロントプレートと前記金属プレートとを任意の手段によって固定するように構成される。
【０００７】
【発明の実施の形態】
以下本願の実施例を示す図面について説明する。図１は本発明の高周波機器の斜視図である。図２は本発明のフロントプレートと金属ケースの組付け状態を示す概略の分解斜視図である。図３はフロントプレートと金属ケースの組付け後の嵌合状態を示す側面図である。図４（Ａ）は図３の状態にシールドカバーを組付ける状態を示す側面図。（Ｂ）はシールドカバーを取付けた状態の正面図である。図５は嵌合部の一部破断側面図である。図６は本発明の高周波機器を利用したテレに共同受信機器の例を示す。
【０００８】
１は例えばテレビ受信用増幅装置やコンバーター等で代表される高周波機器であり，基板５，金属ケース１０，シールドカバー１２，１３，フロントプレート２０，Ｆ型コネクター２１・２１…等からなる。
基板５はスイッチ５ａ，可変抵抗器５ｂ等の電子部品からなる高周波回路を形成したプリント基板である。
金属ケース１０は基板５を収納するためのケースであり，側板１１・１１，天板１４とを備え，一辺を開放させて形成されている。
このケースにおいて，１１ａ・１１ａ…，１１ｂ・１１ｂ…はそれぞれ基板５を金属ケース１０に安定的に収納するためのもので，１１ａは保持片，１１ｂは止片であり，前記基板５を収納後，半田付け等によって金属ケース１０と電気的にも機械的にも固定される。
【０００９】
１１ｄ，１４ａはそれぞれ，側板１１，天板１４の折り曲げ部であり，当該折り曲げ部は，本発明では，プリント基板５を収納したときに，前記プリント基板に形成した高周波回路の信号線と前記Ｆ型コネクター２１の中心導体との接続部５ａが設けられた方向側に備えさせるように形成されている（図２では上面方向）。これらの折り曲げ部は前記シールドカバー１２，１３との接触面積を増やし，イミュニティー特性の向上を図るための接触面であると共に，金属ケースの強度を保つためのものである。
１１ｃ・１１ｃ…，はシールドカバー１２，１３をケース１０に固着するための突起部（天板１４にも形成されているが図示されていない）であり，当該突起部に前記シールドケース１２，１３に形成されたバネ性を有した弾性爪１２ａ，１３ａと嵌合して係止するためのものである。
１８はフロントプレート２０との嵌合部，１５はフロントプレートを締着するための締着片，１６は開放部である。
【００１０】
２０はフロントプレートであり，金属性材料で形成されている。２１・２１…は基板５に形成された高周波回路と外部とを接続するためのＦ型コネクターであり，前記フロントプレート２０に設けられた挿通孔（図示されていない）にカシメ等の手段によって固定されている。２０ａは前記締着片１５を挿通するための挿通孔，２０ｄはフロントプレート２０の折り曲げ部，２０ｃはシールドカバー１２，１３をフロントプレート２０に固着するための突起部であり，当該突起部に前記シールドケース１２，１３に形成されたバネ性を有した弾性爪１２ａ・１２ａ…，１３ａ・１３ａ…と嵌合して係止するためのものである。
２０ｂはフロントプレート２０の両側面に形成された当接部である。
【００１１】
次に，本発明の高周波機器の組付け方法について説明する。先ず基板５を金属ケース１０の保持片１１ａ・１１ａ…，止片１１ｂ，１１ｂ…でもって収納する。１１ｂは側板１１を金属ケース１０の内面側にプレス等によって突起させた止片であり，本発明の実施例では，プリント基板５の表面側を当接させて金属ケース１０内の基板５の位置決めをする。次に保持片１１ａを前記ケースの内面側に折り曲げる。本発明の実施例では，プリント基板５の裏面側に前記保持片１１ａを圧接させて，当該プリント基板５を止片１１ｂ・１１ｂ…と保持片１１ａ・１１ａ…とで挟持したのち，プリント基板５と金属ケース１０の内面側を半田付け等で組付ける。
【００１２】
このように基板５が固定された金属ケース１０に，Ｆ型コネクター２１を備えたフロントプレート２０を取付ける。フロントプレート２０は金属性材料を用いてプレス等によって形成されており，当該フロントプレート２０に形成された挿通孔（図示されていない）にＦ型コネクター２１をカシメ加工等によって取付けたものである。また，フロントプレート２０の長手方向の上端部には，金属ケース１０の方向に断面略Ｌ字型に折り曲げ加工した折り曲げ部２０ｂが形成され，当該フロントプレート２０の両端側には当接部２０ｂが形成されている。更にフロントプレート２０には，挿通孔２０ａ・２０ａが形成されており，金属ケース１０の側板１１・１１の開放部１６側の先端部に形成された前記締着片１５を挿通させてから，当該締着片１５を冶具等で変形させカシメることで，フロントプレート２０と金属ケース１０を取付けると共に，前記当接部２０ｂの内面側を前記フロントプレートの側板１１に当接させるよう冶具等を用いて折り曲げ加工する。そして，プリント基板５の信号線とＦ型コネクター２１の中心導体及びプリント基板５のアース面とフロントプレート２０とを半田付け等によって取付ける。
【００１３】
この時，前記金属ケース１０の側板１１の開放された一辺側における上端面，つまりは，プリント基板５を収納したときに，前記プリント基板に形成した高周波回路の信号線と前記Ｆ型コネクター２１の中心導体との接続部５ａが設けた方向側には，嵌合部１８が形成されている。フロントプレート２０と金属ケース１０を取付けるときに，この嵌合部１８はフロントプレート２０の上面の折り曲げ加工部２０ｄの内面側と嵌合するように形成されている。この時，図３に示すように，前記嵌合部１８の段差Ｔ２が，前記フロントプレート２０の折り曲げ部２０ｄの板厚Ｔ１に比べて僅かに小さくなるように形成されており，組付け後に僅かに（Ｔ１−Ｔ２）だけ，前記折り曲げ部２０ｄがケース１０の上面方向に張り出すことになる。
【００１４】
こうして組み付けられた後に，シールドケース１２を，金属ケース１０の上面方向から取付け，シールドケース１３を，金属ケース１０の下面方向から取付ける。この時の金属ケース１０，フロントプレート２０，シールドケース１２との嵌合について更に詳しく説明する。
シールドケース１２，１３は，当該シールドケース１２，１３に備えさせた弾性爪１２ａ，１３ａによって，金属ケース１０の側板１１，天板１４やフロントプレート２０に形成した突起部１１ｃ，２０ｃ（天板１４に形成された突起部は図示されていない）に係止される。この時，シールドケース１２，１３はこの係止によって，金属ケース１０の方向に強く引き付けられるように取付けられ，本発明の高周波機器のシールド性を保つよう構成されているのである。
【００１５】
ところが，Ｆ型コネクター２１の中心導体と基板５の信号線との接続部５ａは，高周波特性を良くするためにできるだけ短くなるように構成されるのが良いので，前記接続部５ａとフロントプレート２０と金属ケース１０のそれぞれの嵌合面が近接して配置されることになる。そこで，良好なシールド特性を持つためには，特に接続部５ａが構成された方向側の，フロントプレート２０，金属ケース１０及びシールドケース１２（本発明の実施例の場合）との接触の具合が重要となる。
【００１６】
本発明では，上述のように，金属ケース１０とフロントプレート２０との嵌合部１８での嵌合において，折り曲げ部２０ｄがケース１０の上端面より上方向に僅かに張り出すように形成されていると共に，適度な面積を持たせていることから，シールドカバー１２を係止したときに，前記折り曲げ部２０ｄとシールドカバー１２の内側の対向した面との密着が良くなるのである。
即ち，側板１１及び天板１４に形成された突起部１１ｃ（天板１４の突起部は図示されていない）とフロントプレート２０の突起部２０ｃとも，例えばプリント基板の中心軸を基準面とすると，当該基準面から同じ寸法となるよう形成されていることから，シールドケース１２を係止したときに，当該シールドケース１２は金属ケース１０の方向に強く係止されると共に，上述のフロントプレート２０の折り曲げ部２０ｄが，上方向に僅かに張り出させていることで，前記折り曲げ部２０ｄとシールドカバー１２の内側の対向した面との密着が一層良くなるのである。
更に，当接部２０ｂを前記両側板１１・１１の先端部と当接するように折り曲げて重合させるよう構成したので，フロントプレート２０と金属ケースの両側面方向の密着性も向上させている。
更にまた，側板１１・１１，天板１４にもそれぞれ嵌合部１８と同方向に折り曲げ部１１ｄ・１１ｄ，１４ａを備えさせたことから，本発明のように構成した高周波機器１は優れたシールド特性を持つのである。
【００１７】
なお，本発明では，フロントプレート２０と金属ケース１０の嵌合部１８を一方向に形成した実施例を示したが，嵌合部１８を上面方向と下面方向の両方向に形成する方法でも良い。
更に，本発明では，金属ケース１０は両側板１１・１１と天板１４とで，一辺を開放した枠体を形成している例を示したが，この実施例に限定されるものではなく，必要に応じて，例えば側板等を複数個用いて，金属ケース内をブロックごとに区切るように構成しても良い事は言うまでもない。
【００１８】
このように構成された高周波機器１は，例えば図６に示すようにテレビ受信用増幅装置等の利用される。１００は電子機器ケースであり高周波機器１を収納する。このように高周波機器を収納した電子機器ケース（以下ケースと呼ぶ）は，テレビ共同受信におけるアンテナの近傍のマストや壁面に取付けられるので妨害波等の雑音電波による影響を受け易い。特にＶＨＦ，ＵＨＦと合わせてＢＳや１１０°ＣＳ放送等も受信するような場合，その取扱う周波数も２．６ＧＨｚ程度までの高周波であり，更に，信号がデジタル変調であるため，前記高周波機器は高いシールド特性を持たせる必要とする。
【００１９】
本発明の高周波機器のよれば，シールドケース１２，１３は，当該シールドケース１２，１３に備えさせた弾性爪１２ａ，１３ａによって，金属ケース１０の側板１１，天板１４（図示されていない）やフロントプレート２０に形成した突起部１１ｃ，２０ｃと係止される。この時，シールドケース１２，１３はこの係止によって，金属ケース１０の方向に強く引き付けられると共に，金属ケース１０とフロントプレート２０との嵌合部１８によって，折り曲げ部２０ｄがケース１０の上面方向に僅かに張り出させると共に，フロントプレートの折り曲げ部２０ｄには適度な面積を持たせるように形成されている。更にフロントプレートに形成した当接部２０ｂの内面側を前記フロントプレートの側板１１に当接させる。更にまた，側板１１・１１，天板１４にもそれぞれ嵌合部１８と同方向に折り曲げ部１１ｄ・１１ｄ，１４ａを備えさせたことから，妨害信号が最も進入し易い，Ｆ型コネクターの近傍におけるシールド性を改善したことで，上述の代表例に示すような，デジタル放送に最適な優れたイミュニティー特性を持つテレビ共同受信機器用の高周波機器１を提供できるのである。
【００２０】
【発明の効果】
以上詳述したように，請求項１及び請求項２の発明によれば，内部に高周波回路を収納する一辺が開放された金属ケース１０と，該開放部１６に取付けられる別体の金属製のフロントプレート２０と，該フロントプレート２０に形成した挿通孔にカシメ等の手段によって固定されたコネクター２１とからなる高周波機器１において，前記フロントプレート２０の短辺方向を断面略Ｌ字形に折り曲げて形成し，前記前記金属ケース１０の両側板１１・１１における開放部１６側の先端部の上端面に，前記フロントプレート２０の折り曲げ部２０ｄの板厚より僅かに小さい寸法で段差部１８を形成し，前記フロントプレート２０の折り曲げ部２０ｄの内面と前記段差部１８とを嵌合させると共に，前記フロントプレート２０と前記金属プレート１０とを任意の手段によって固定するように形成したので，フロントプレート２０の折り返し部２０ｄが金属ケース１０より一定の寸法で僅かに張り出した状態でバラツキのない組み立て可能となり，更に，折り返し部２０ｄに適度な面積をもたせたことから，特に高周波機器１のシールド特性に影響が大きい，Ｆ型コネクター２１の近傍付近のフロントプレート２０とシールドカバー１２，１３の密着性が一層向上し，シールド特性の向上が図れるのである。更に，別体のフロントプレート２０を金属ケース１０の開放部１６に取付けるだけでよいので，金属ケース１０に余分な前壁を設けることが無く高周波機器１の軽量化が図れる。
【図面の簡単な説明】
【図１】本発明の高周波機器の斜視図である。
【図２】本発明のフロントプレートと金属ケースの組付け状態を示す概略の分解斜視図である。
【図３】フロントプレートと金属ケースの組付け後の嵌合状態を示す側面図である。
【図４】（Ａ）は図３の状態にシールドカバーを組付ける状態を示す側面図。
（Ｂ）はシールドカバーを取付けた状態において，（Ａ）に示す矢印方向から見た図である。
【図５】嵌合部の一部破断側面図である。
【図６】本発明の高周波機器を利用したテレビ共同受信機器の例を示す。
【符号の説明】
１…高周波機器，５…基盤，５ａ…スイッチ，５ｂ…可変抵抗器，１０…金属ケース，１１…側板，１１ａ…保持片，１１ｂ…止片，１１ｃ…突起部，１１ｄ…折り曲げ部，１２…シールドケース，１２ａ…弾性爪，１２ｂ…凹部，１３…シールドケース，１３ａ…弾性爪，１４…天板，１４ａ…折り曲げ部，１８…嵌合部，２０…フロントプレート，２０ａ…挿通孔，２０ｂ…当接部，２０ｃ…突起部，２０ｄ…折り曲げ部，２１…Ｆ型コネクター，１００…電子機器ケース
【図１】
2004229008.tif 000003
【図２】
2004229008.tif 000004
【図３】
2004229008.tif 000005
【図４】
2004229008.tif 000006
【図５】
2004229008.tif 000007
【図６】
2004229008.tif 000008